(57)【要約】      （修正有）【課題】蓄電池に充電をするための電気を自らが作り出せるようにする。【解決手段】自らの蓄電池１の電池を充電するための、自らの電気モーター２と発電機モーターとに送電する。そして、電気モーター２と発電機モーターとを回転させて、発電機モーターから電気を発生させる。この発生した電気を自らの蓄電池１に送電して充電をする。【選択図】図１
2015008621.tif 000002
【特許請求の範囲】
【請求項１】
電気モーターの回転を、１機以上すべての発電機モーターに連動して、同時に電気モーターの回転を、１機以上すべての発電機モーターに伝動する方法です。
この伝動により、電気モーターと、１機以上すべての発電機モーターとを、連動して同時回転をさせます。
この同時回転時に、１機以上すべての発電機モーターから電気を発生させます。
この電気を発生した１機の発電機モーターの電気を、再びこの同時回転時に電気モーターに送電して、この送電した発電機モーターの電気により、電気モーターと１機以上すべての発電機モーターとを持続回転させて、発電機モーターから電気を持続して発生させ続ける方法です。
【請求項２】
回転伝動ベルト、又は、回転伝動歯車などを用いて、電気モーターの回転を、１機以上すべての発電機モーターに連動して、同時に、電気モーターの回転を、発電機モーターに伝動する方法です。
そして、電気モーターと１機以上すべての発電機モーターとを連動して、同時回転をさせます。
この同時回転時に１機以上すべての発電機モーターから、電気を発生させる方法です。
【請求項３】
１機以上すべての発電機モーターから、電気を発生したその中の１機の発電機モーターの電気を、この同時回転時に再び電気モーターに送電する方法です。
そして、この送電した発電機モーターの電気により、電気モーターと１機以上すべての発電機モーターとは連動して、同時回転を持続させます。
この持続回転時に１機以上すべての発電機モーターから電気を持続して発生させ続ける方法です。
【請求項４】
電気モーターに送電している発電機モーター以外の発電機モーターの電気を、色々な用途の電気として送電します。
通常の色々な用途の電気として送電します。
蓄電池に送電して充電をします。そして、色々な用途に利用します。
更に、Ｖの大きな電気を満たす、又は、得るために発電機モーターの電気を、次の段階の電気モーターに送電して、更にＶの大きな電気を発生させる方法です。
【請求項５】
よりＶの大きな電気を満たし得るために、１段階の電気モーターと発電機モーターよりも、よりＶの大きな電気モーターと発電機モーターとを、２段階では設置します。
２段階の電気モーターと発電機モーターよりも、よりＶの大きな電気モーターと発電機モーターとを、３段階では設置します。
３段階の電気モーターと発電機モーターよりも、よりＶの大きな電気モーターと発電機モーターとを、次の段階では設置します。
電気を次から次へと送電して段階を繰り返して、電気モーターと発電機モーターのＶを、次から次へと大きく更にＶを大きくして、目的とする電気を  満たし得る方法です。
【発明の詳細な説明】
【技術分野】
【０００１】蓄電池、発電機、通常の色々な電気を電源とします。
電気モーターと１機以上すべての発電機モーターとを、回転伝動ベルト、又は、回転伝動歯車などを用いて、これらを連結します。
この状態の電気モーターに、色々な電気を一時的に送電します。
そして、電気モーターと１機以上すべての発電機モーターとを連動して、同時回転をさせます。
この同時回転時に１機以上すべての発電機モーターから電気を一時的に発生させます。
この電気を発生したその中の１機の発電機モーターの電気を、この同時回転時に電気モーターに再び送電します。
この送電した発電機モーターの電気により、電気モーターと１機以上すべての発電機モーターとは連動して、同時回転を持続します。
この持続回転時に１機以上すべての発電機モーターからは、目的とする電気を、持続して発生し続ける様にする技術分野です。
電気モーターに送電している発電機モーター以外の発電機モーターの電気を、色々な用途の電気として送電します。
通常の色々な用途の電気として送電します。
蓄電池に送電して充電をします。そして、色々な用途の電気として利用します。
更にＶの大きな電気を満たし得るために、発電機モーターの電気を次なる段階の電気モーターに送電して、更なるＶの大きな電気を発生させる技術分野です。
【背景技術】
【０００２】従来は、電気を発生させる物品としては、移動が可能なエンジン付の発電機などがあります。
又は、大型の物品としては、太陽光発電、風力発電、地熱発電、火力発電、水力発電、大型エンジン付発電機などがあります。
【発明の開示】
【発明が解決しようとする課題】
【０００３】太陽光発電には、日照条件と、突風、及び、強風によるパネルの被害等の課題です。
風力発電には、突風、及び、強風による風車の転倒、又は、送電線などの課題です。
火力発電には、ＣＯ２の課題です。
水力発電には、ダムなどによる自然の破壊の課題です。
【課題を解決するための手段】
【０００４】電気モーターの回転を１機以上すべての発電機モーターに、同時に伝動して、電気モーターとすべての発電機モーターとを同時回転させます。
そして、１機以上すべての発電機モーターから電気を発生させる手段です。
この電気を発生したすべての発電機モーターのその中の１機の発電機モーターの電気を、再びこの同時回転時に電気モーターに送電します。
この送電した電気により、電気モーターと１機以上すべての発電機モーターとは同時回転を持続します。そして、１機以上すべての発電機モーターからは電気を持続して発生し続ける手段です。
電気モーターに送電している発電機モーター以外の発電機モーターの電気を、色々な用途の電気として送電する手段です。
【発明の効果】
【０００５】電気モーターと発電機モーターとの連動した回転により、電気を発生させる事による効果とは、次の様な効果です。
燃料を使用しない事により、ＣＯ２を排出しない効果です。
遠方に送電するための送電線は不要となる効果です。
その場に必要な電気の量をその場で発生させる効果です。
自給自足をできる発電機にできる効果です。
【発明を実施するための最良の形態】
【０００６】電気モーターの回転を１機以上すべての発電機モーターに伝動させるために、回転伝動ベルト、又は、回転伝動歯車などを用いて、１機以上すべての発電機モーターに電気モーターの回転を伝動して、電気モーターと発電機モーターとを同時回転をさせる形態です。
電気モーターと１機以上すべての発電機モーターとを、回転伝動ベルト、又は、回転伝動歯車などを用いてこれらを連結します。
この状態の電気モーターに、蓄電池、発電機、通常の色々な電気を一時的に電気モーターに送電します。
そして、電気モーターと１機以上すべての発電機モーターとを連動して同時回転をさせます。
この同時回転時に、１機以上すべての発電機モーターから電気を一時的に発生させます。
この電気を発生したその中の１機の発電機モーターの電気を、この同時回転時に再び電気モーターに送電します。
この電気モーターに送電した時点には、電気モーターへの色々な電気の送電は不要となります。
そして、送電した発電機モーターの電気により、電気モーターと１機以上すべての発電機モーターとを連動して、同時回転を持続させます。
この持続回転時に、１機以上すべての発電機モーターからは、目的とする電気を、持続して発生し続ける様にする形態です。
電気モーターに送電している発電機モーター以外の発電機モーターの電気を、色々な用途の電気として送電します。
通常の色々な用途の電気として送電します。
蓄電池に送電して充電をします。そして、色々な用途の電気として利用します。
又は、更にＶの大きな電気を満たす、又は、得るために、発電機モーターの電気を次なる段階の電気モーターに送電して、更にＶの大きな電気を発生させる形態です。
【実施例１】図１に付き説明します。図１を１段階として説明します。
（２）電気モーター２００Ｖと、１機以上すべての（３−１）（３−２）（３−３）発電機モーター２００Ｖとを、（４）回転伝動ベルト、又は、回転伝動歯車などを用いてこれらを連結します。
この状態の電気モーターに蓄電池、発電機、通常の色々な電気となる
（１）蓄電池の電気を（Ａ）送電線により、一時的に（２）電機モーター２００Ｖに送電します。
そして、（２）電気モーター２００Ｖと、１機以上すべての（３−１）（３−２）（３−３）発電機モーター２００Ｖとを連動して、同時回転をさせます。
この同時回転時に１機以上すべての（３−１）（３−２）（３−３）発電機モーターから電気を一時的に発生させます。
この電気を発生したその中の１機の（３−１）発電機モーター２００Ｖの電気を、（Ｂ）送電線によりこの同時回転に（２）電気モーター２００Ｖに送電します。
そして、この送電した発電機モーターの電気により、（２）電気モーター２００Ｖと１機以上すべての（３−１）（３−２）（３−３）発電機モーター２００Ｖとを連動して同時回転を持続させます。
この持続回転時に、目的とする電気を、１機以上すべての発電機モーターから電気を持続して発生し続ける形態です。
電気モーターに送電している（３−１）発電機モーター以外の発電機モーターの電気を、色々な用途の電気として送電します。
通常の色々な用途の電気として送電します。
蓄電池に送電して充電をします。そして、色々な用途の電気として利用します。
更にＶの大きな電気を満たし得るために、（３−２）（３−３）発電機モーターの電気を（Ｄ）送電線により、次なる段階の（図２）の（２）電気モーター４００Ｖに送電します。
【実施例２】図２に付き説明します。    図２を２段階として、説明します。
（２）電気モーター４００Ｖと１機以上すべての（３−１）（３−２）（３−３）発電機モーター４００Ｖとを（４）回転伝動ベルト、又は、回転伝動歯車などを用いてこれらを連結します。
この状態の電気モーターに蓄電池、発電機、通常の色々な電気、又は、１段階より送電した電気を（Ａ）送電線により一時的に（２）電気モーター４００Ｖに送電します。
そして、電気モーター４００Ｖと、１機以上すべての（３−１）（３−２）（３−３）発電機モーター４００Ｖとを連動して同時回転をさせます。
この同時回転時に１機以上すべての（３−１）（３−２）（３−３）発電機モーターから電気を一時的に発生させます。
この電気を発生したその中の１機の（３−１）発電機モーター４００Ｖの電気を（Ｂ）送電線により、この同時回転時に（２）電気モーター４００Ｖに送電します。
そして、この送電した発電機モーターの電気により、（２）電気モーター４００Ｖと１機以上すべての（３−１）（３−２）（３−３）発電機モーター４００Ｖとを連動して同時回転を持続させます。
この持続回転時に、目的とする電気を、１機以上すべての発電機モーターから電気を持続して発生し続ける形態です。
電気モーターに送電している（３−１）発電機モーター以外の発電機モーターの電気を、色々な用途の電気として送電します。
通常の色々な用途の電気として送電します。
蓄電池に送電して充電をします。そして、色々な用途の電気として利用します。
更にＶの大きな電気を満たし得るために、（３−２）（３−３）発電機モーターの電気、又は、すべての電気を（Ｄ）送電線により、次なる段階の図３の（２）電気モーター１２００Ｖに送電します。
すべての発電機モーターの電気を送電の場合には電気モーターへの１段階からの送電は必要となります。
【実施例３】図３に付き説明します。    図３を３段階として、説明します。
（２）電気モーター１２００Ｖと１機以上すべての（３−１）（３−２）（３−３）発電機モーター１２００Ｖとを（４）回転伝動ベルト、又は、回転伝動歯車などを用いてこれらを連結します。
この状態の電気モーターに蓄電池、発電機、通常の色々な電気、又は、２段階より送電した電気を（Ａ）送電線により一時的に（２）電気モーター１２００Ｖに送電します。
そして、電気モーター１２００Ｖと、１機以上すべての（３−１）（３−２）（３−３）発電機モーター１２００Ｖとを連動して同時回転をさせます。
この同時回転時に１機以上すべての発電機モーターから電気を一時的に発生させます。
この電気を発生したその中の１機の（３−１）発電機モーター１２００Ｖの電気を（Ｂ）送電線により、この同時回転時に（２）電気モーター１２００Ｖに送電します。
そして、この送電した発電機モーターの電気により、（２）電気モーター１２００Ｖと１機以上すべての（３−１）（３−２）（３−３）発電機モーター１２００Ｖとを連動して同時回転を持続させます。
この持続回転時に、目的とする電気を、１機以上すべての発電機モーターから電気を持続して発生し続ける形態です。
電気モーターに送電している（３−１）発電機モーター以外の発電機モーターの電気を、色々な用途の電気として送電します。
通常の色々な用途の電気として送電します。
蓄電池に送電して充電をします。そして、色々な用途の電気として利用します。
更にＶの大きな電気を満たし得るために、（３−２）（３−３）発電機モーターの電気、又は、すべての電気を次なる段階の電気モーター３６００Ｖに送電します。
すべての発電機モーターの電気を送電の場合には電気モーターへの２段階からの送電は必要となります。
【実施例４】よりＶの大きな電気を満たし得るために、１段階の電気モーターと発電機モーターよりも、よりＶの大きな電気モーターと発電機モーターとを、２段階では設置します。
２段階の電気モーターと発電機モーターよりも、よりＶの大きな電気モーターと発電機モーターとを３段階では設置します。
３段階の電気モーターと発電機モーターよりも、よりＶの大きな電気モーターと発電機モーターとを次の段階では設置します。
電気を次から次へと送電して、段階を繰り返して電気モーターと発電機モーターのＶを、次から次へと大きく更にＶを大きくして、目的とする電気を満たし得る形態です。
【産業上の利用可能性】
【０００７】蓄電池とモーターを小型化にして、色々な家電に組み込んで利用します。
住宅、店舗、工場等の電気として利用します。
色々な乗り物をＥＶ化させるために利用します。
【図面の簡単な説明】
【０００８】
【図１】（１）蓄電池と（２）電気モーターと（３）発電機モーターの立体図です。
【図２】（２）電気モーターと（３）発電機モーターの立体図です。
【図３】（２）電気モーターと（３）発電機モーターの立体図です。
【符号の説明】
【０００９】（１）蓄電池
（２）電気モーター
（３）発電機モーター
（４）回転伝動ベルト（Ａ）（Ｂ）（Ｃ）（Ｄ）（Ｅ）は送電線です。
送電線の矢印は電流の方向を示したものです。
【図１】
2015008621.tif 000003
【図２】
2015008621.tif 000004
【図３】
2015008621.tif 000005
【手続補正書】
【提出日】平成26年6月26日(2014.6.26)
【手続補正１】
【補正対象書類名】明細書
【補正対象項目名】全文
【補正方法】変更
【補正の内容】
【発明の詳細な説明】
【技術分野】
【０００１】（１）自らの蓄電池の電気を、自らの電気モーターに送電します。そして、電気モーターを回転させます。この電気モーターの回転を、発電機モーターに伝道して、発電機モーターを回転させて、発電機モーターから電気を発生させる技術分野です。
（２）この発生した発電機モーターの電気を、電気モーターに送電します。そして、送電したこの電気により、電気モーターと発電機モーターとを同時にして回転をさせる技術分野です。
（３）電気モーターと発電機モーターとの同時回転を充電をするため、発電機モーターに伝導して発電機モーターを回転させます。そして、発電機モーターから電気を発生させます。この発生した電気を蓄電池に送電して充電をする技術分野です。
（４）蓄電池の電気容量により一定量を上回る、又は、下回るこの誤差の時に、自動的に充電をする、又は、充電を止める技術分野です。
【背景技術】
【０００２】（１）従来の蓄電池の充電方法は、外部から電気を与えています。
（２）充電をするための発電機を使用しています。
【発明の開示】
【発明が解決しようとする課題】
【０００３】自らの蓄電池を自らの電気で充電をできない課題です。
【課題を解決するための手段】
【０００４】（１）自らの蓄電池の電気を自らの電気モーターに送電して、電気モーターを回転させます。この電気モーターの回転を、発電機モーターに伝動して発電機モーターを回転させて、発電機モーターから電気を発生させる手段です。
（２）この電気を発生した発電機モーターの電気を、電気モーターに送電します。そして、この送電した電気により、電気モーターと発電機モーターとを同時に回転をさせる手段です。
（３）この電気モーターと発電機モーターとの同時回転を、充電をするための発電機モーターに伝道します。そして、発電機モーターを回転させ、発電機モーターから電気を発生させます。この発生した電気を蓄電池に送電して充電をします。そして、何時も一定量の電気容量を蓄電池内に確保させる手段です。
（４）蓄電池の電気容量の一定量よりも多い時には、発電機モーターから電気モーターへの送電を止めます。そして、電気モーターを停止させます。又は、少ない時には、蓄電池から電気モーターへ電気を送電して、電気モーターを回転させ始動します。この作動を自動化にして、繰り返し、繰り返し行って、何時でも充電をして蓄電池の電気を一定量に確保する手段です。
【発明の効果】
【０００５】（１）使用して少なくなった（１）蓄電池内の電気分量を、自らの発電機モーターに発生させた電気で充電できる効果です。
（２）（１）蓄電池内の電気容量の誤差によって、自動的に電気モーター始動、又は、停止等の入、又は、切の作動をして、何時も（１）蓄電池内の電気容量が一定量に保たれる効果です。
【発明を実施するための最良の形態】
【０００６】（１）図１に示す（１）蓄電池の電気を、（２）電気モーターに（Ａ）送電線により電気モーターに送電し、電気モーターを回転させる形態です。
（２）この（２）電気モーターの回転を、（４）回転伝動ベルトにより（３−１）発電機モーターに伝動して、発電機モーターを回転させて、発電機モーターから電気を発生させる形態です。
（３）電気を発生した（３−１）発電機モーターの電気を、（Ｂ）送電線により（２）電気モーターに送電します。そして、この送電した電気により、電気モーターと発電機モーターとを同時回転させる形態です。
電気モーターの回転を、発電機モーターに与えます。そして、回転した発電機モーターは、電気を発生させます。この発生した電気を、電気モーターに送電し与えます。
この相乗効果により、電気モーターと発電機モーターとは同時回転をします。
同時回転すると同時に、（１）蓄電池から（Ａ）送電線による（２）電気モーターへの送電は、一時停止させる形態です。
（４）この（２）電気モーターと（３−１）発電機モーターとの同時回転を、（４）回転伝動ベルトにより充電をさせるための（３−２）と（３−３）発電機モーターに回転を伝道して回転させて、発電機モーターから電気を発生させます。
この発生した電気を、（Ｃ）送電線により（１）蓄電池に送電して充電をする形態です。この充電をした（１）蓄電池の電気を、自らの電気モーターに使用します。又は、色々な用途の電気として、（Ｅ）送電線により送電し使用します。
（５）（１）蓄電池内の電気容量が一定量を下回ると、（１）蓄電池から（Ａ）送電線により送電をして、（２）電気モーターを一時回転させ始動させます。又は、一定量を上回ると（Ｂ）送電線から（２）電気モーターへの送電を一時停止させ（２）電気モーターを一時停止させる形態です。
（６）（１）蓄電池内の電気容量の誤差によるモーターの始動、及び、停止等によるスイッチの入、又は、切等の作動を自動的にして、何時も（１）蓄電池に一定量の電気容量を保つようにする形態です。
（７）以上の様な段階を繰り返し、繰り返し行って（１）蓄電池に充電をします。この電気を自らの電気モーターに使用します。又は、色々な用途の電気として使用する形態です。
【産業上の利用可能性】
【０００７】蓄電池とモーターとを小型化にして、色々な家電に組み込んで利用します。
住宅、店舗、工場等の電気として利用します。
色々な乗り物をＥＶ化させるために利用します。
【図面の簡単な説明】
【０００８】
【図１】（１）蓄電池と（２）電気モーターと（３）発電機モーターの立体図です。
【符号の説明】
【０００９】（１）  蓄電池              （２）  電気モーター
（３）  発電機モーター      （４）  回転伝動ベルト
（Ａ）（Ｂ）（Ｃ）（Ｄ）（Ｅ）は送電線です。
送電線の矢印は電流の方向を示したものです。
【手続補正２】
【補正対象書類名】特許請求の範囲
【補正対象項目名】全文
【補正方法】変更
【補正の内容】
【特許請求の範囲】
【請求項１】
図１に示す（１）蓄電池の電気を（２）電気モーターに送電して電気モーターを回転させます。この（２）電気モーターの回転を（３−１）発電機モーターに伝動します。そして、発電機モーターを回転させて発電機モーターから電気を発生させる方法です。
【請求項２】
電気を発生した（３−１）発電機モーターの電気を（２）電気モーターに送電します。この送電した電気により（２）電気モーターを回転させます。この電気モーターの回転を発電機モーターに伝道します。
この事によって、（３−１）発電機モーターと（２）電気モーターとを同時回転させる方法です。
【請求項３】
（２）電気モーターと（３−１）発電機モーターとの同時回転を充電をさせるための（３−２）と（３−３）発電機モーターに伝道します。
そして、発電機モーターを回転させて発電機モーターから電気を発生させます。この発生した電気を（１）蓄電池に送電して充電をする方法です。
【請求項４】
（１）蓄電池内の電気容量の誤差によって充電をする。又は、充電を止める等をさせる（２）電気モーターを始動させる。又は、停止させる等の切替え、又は、スイッチ等を自動的にさせる方法です。
【手続補正４】
【補正対象書類名】図面
【補正対象項目名】図２
【補正方法】削除
【補正の内容】
【手続補正５】
【補正対象書類名】図面
【補正対象項目名】図３
【補正方法】削除
【補正の内容】